(57)【要約】【課題】ゴムパッキンの締め付け力を、簡単な構成で安定して設定できるシールドトンネル口のパッキン締め付け装置を提供することである。【解決手段】トンネル口で筒状ケーシング２の内周面に取り付けられたゴムパッキン３の締め付けワイヤ５を、一端側をピン７に固定して、他端側を引張コイルばね９を介してテンションフック１０を設けたボルト１１に連結し、ボルト１１をケーシング２に取り付けた支持金具１２に螺着することにより、引張コイルばね９の伸び変形量を目安としてボルト１１の締め込み量を調節して、ゴムパッキン３の締め付け力を簡単に精度よく設定できるようにした。【選択図】  図１
2004183359.tif 000002
【特許請求の範囲】
【請求項１】
シールドトンネル口に取り付けられ、引き抜かれるシールド機の外周とトンネル口の内周間の隙間をシールするリング状のゴムパッキンを、その背面側から前記シールド機外周に締め付けワイヤで締め付けるシールドトンネル口のパッキン締め付け装置において、前記締め付けワイヤを引張ばね部材を介して締め付けるようにしたことを特徴とするシールドトンネル口のパッキン締め付け装置。
【請求項２】
前記引張ばね部材を、そのばね定数が既知のものとし、この引張ばね部材の変形量を目安として、前記パッキンの締め付け力を設定するようにした請求項１に記載のシールドトンネル口のパッキン締め付け装置。
【請求項３】
前記締め付けワイヤの一端側を前記トンネル口に固定し、その他端側にさつまを設けて、このさつまを前記引張ばね部材としての引張コイルばねを介して、テンションフックを設けたボルトに連結し、このボルトを前記トンネル口に螺着して、ボルトの締め込み量で前記パッキンの締め付け力を調整するようにした請求項１または２に記載のシールドトンネル口のパッキン締め付け装置。
【発明の詳細な説明】
【０００１】
【発明の属する技術分野】
この発明は、シールド機をトンネル口から引き抜く際の止水用ゴムパッキンを締め付ける装置に関するものである。
【０００２】
【従来の技術】
シールド工法においてシールド機をトンネル口から立坑へ引き抜く際には、トンネル内の水が立坑内へ流出するを防止するために、シールド機の外周とトンネル口の内周間の隙間をシールするリング状のゴムパッキンをトンネル口に取り付け、その背面側からシールド機外周にワイヤで締め付けるようにしている。シールド機が立坑内へ引き抜かれた後は、ゴムパッキンは後続のセグメントの外周に締め付けられ、トンネル内に注入される裏込剤が立坑内へ流出するのを防止する。
【０００３】
従来、前記ワイヤによるゴムパッキンの締め付けは、作業者の経験に頼るワイヤの絞り操作で行われている。このため、ゴムパッキンの締め付け力の設定にバラツキが生じやすい問題があった。すなわち、締め付け力が弱い場合は止水不足となり、締め付け力が強過ぎる場合は、引き抜かれるシールド機の外周面とゴムパッキンとの摺動抵抗が過大となる。
【０００４】
この問題に対して、ゴムパッキンの背面側に環状の中空膜部を形成するシール材を取り付け、中空膜部に流体圧を供給して、このシール材でゴムパッキンを締め付けることにより、流体圧の調整でゴムパッキンの締め付け力を設定するようにしたものがある（例えば、特許文献１参照。）。
【０００５】
【特許文献１】
特開平１１−６３８９号公報（第２−５頁、３図）
【０００６】
【発明が解決しようとする課題】
上述した従来のパッキン締め付け装置は、中空膜部に供給する流体圧の調整でゴムパッキンの締め付け力を適正に設定できるが、流体圧の供給源と供給配管を設ける必要があり、装置が大がかりで高価なものとなる問題がある。
【０００７】
そこで、この発明の課題は、ゴムパッキンの締め付け力を、簡単な構成で安定して設定できるシールドトンネル口のパッキン締め付け装置を提供することである。
【０００８】
【課題を解決するための手段】
上記の課題を解決するために、この発明は、シールドトンネル口に取り付けられ、引き抜かれるシールド機の外周とトンネル口の内周間の隙間をシールするリング状のゴムパッキンを、その背面側から前記シールド機外周に締め付けワイヤで締め付けるシールドトンネル口のパッキン締め付け装置において、前記締め付けワイヤを引張ばね部材を介して締め付ける構成を採用した。
【０００９】
すなわち、ゴムパッキンの締め付けワイヤを、引張ばね部材を介して締め付けることにより、引張ばね部材の緩衝作用により、締め付けワイヤの絞り量のバラツキに対する締め付け力の変化を小さくし、パッキンの締め付け力を安定して設定できるようにした。
【００１０】
前記引張ばね部材を、そのばね定数が既知のものとし、この引張ばね部材の変形量を目安として、前記パッキンの締め付け力を設定することにより、引張ばね部材の変形量からパッキンの締め付け力を検知して、締め付け力を精度よく設定することができる。
【００１１】
前記締め付けワイヤの一端側を前記トンネル口に固定し、その他端側にさつまを設けて、このさつまを前記引張ばね部材としての引張コイルばねを介してテンションフックを設けたボルトに連結し、このボルトを前記トンネル口に螺着して、ボルトの締め込み量で前記パッキンの締め付け力を調整することにより、簡単に精度よくパッキンの締め付け力を設定することができる。
【００１２】
【発明の実施の形態】
以下、図１乃至図３に基づき、この発明の実施形態を説明する。このシールドトンネル口のパッキン締め付け装置は、図１および図２に示すように、矢板１の外側でトンネル口に設けられた筒状のケーシング２の内周面にリング状のゴムパッキン３を取り付け、引き抜かれるシールド機４の外周で外方に撓んで摺接するゴムパッキン３の背面側に、締め付けワイヤ５を巻き付けてゴムパッキン３を締め付けることにより、シールド機４の外周とケーシング２の内周間の隙間を止水用にシールするものである。
【００１３】
前記締め付けワイヤ５は、ケーシング２に設けられた各孔６ａ、６ｂを通してゴムパッキン３の背面側に巻き付けられ、一端側が孔６ａの外側でピン７に固定され、他端側に設けられたさつま８に、引張コイルばね９を介してテンションフック１０を設けたボルト１１が連結されて、ボルト１１が孔６ｂの外側に設けられた支持金具１２に螺着されている。ゴムパッキン３の背面側には、複数の案内リング１３が放射状に取り付けられており、締め付けワイヤ５はこれらの案内リング１３に通されて、一端側がピン７に引っ掛けられてクリップ止めされている。
【００１４】
前記引張コイルばね９は、ばね定数が既知のものであり、作業者は引張コイルばね９の伸び変形量を目安としてボルト１１の締め込み量を調節し、締め付けワイヤ５によるゴムパッキン３の締め付け力を適正に設定する。
【００１５】
図３に示すように、シールド機４の後側にはセグメント１４が連結されており、シールド機４が立坑１５内に引き抜かれた後、ゴムパッキン３はセグメント１４の外周に締め付けられ、トンネル内に注入される裏込剤が立坑１５内へ流出するのを防止する。このパッキン締め付け装置は、引張コイルばね９の伸び変形量分だけ締め付けの余裕代があるので、シールド機４よりも外径の小さいセグメント１４に対する再締め付けを省略することもできる。
【００１６】
上述した実施形態では、ゴムパッキンを一段のみ設けたが、トンネル口に沿って複数段に設けてもよい。
【００１７】
【発明の効果】
以上のように、この発明のシールドトンネル口のパッキン締め付け装置は、シールド機の外周とトンネル口の内周間の隙間をシールするゴムパッキンの締め付けワイヤを、引張ばね部材を介して締め付けるようにしたので、引張ばね部材の緩衝作用により、締め付けワイヤの絞り量のバラツキに対する締め付け力の変化を小さくして、パッキンの締め付け力を安定して設定することができる。
【００１８】
また、前記引張ばね部材を、そのばね定数が既知のものとし、この引張ばね部材の変形量を目安として、パッキンの締め付け力を設定することにより、引張ばね部材の変形量からパッキンの締め付け力を検知して、締め付け力を精度よく設定することができる。
【００１９】
さらに、前記締め付けワイヤの一端側をトンネル口に固定し、その他端側にさつまを設けて、このさつまを引張ばね部材としての引張コイルばねを介してテンションフックを設けたボルトに連結し、このボルトをトンネル口に螺着して、ボルトの締め込み量でパッキンの締め付け力を調整することにより、簡単に精度よくパッキンの締め付け力を設定することができる。
【図面の簡単な説明】
【図１】本発明に係るパッキン締め付け装置を採用したシールドトンネル口を示す切欠き平面図
【図２】図１のＩＩ−ＩＩ線に沿った断面図
【図３】図１の縦断面図
【符号の説明】
１  矢板
２  ケーシング
３  ゴムパッキン
４  シールド機
５  締め付けワイヤ
６ａ、６ｂ  孔
７  ピン
８  さつま
９  引張コイルばね
１０  テンションフック
１１  ボルト
１２  支持金具
１３  案内リング
１４  セグメント
１５  立坑
【図１】
2004183359.tif 000003
【図２】
2004183359.tif 000004
【図３】
2004183359.tif 000005